(57)【要約】【課題】比較的簡単な構成で、長尺状の帯状ゴム材料の形状を変形させずに巻取って保管することが出来る帯状ゴム材料の巻取り台車及び帯状ゴム材料の巻取り方法を提供する。【解決手段】巻取り軸５は、固定軸２０に対して軸受け６により回転自在に取付けられ、この発明の実施形態では、駆動ロール１８，１８’により巻取り軸５を回転させるものである。巻取り軸５には、外径約１ｍの巻取りドラム１９が取付けられており、これには、剛性ライナーの端部が固定されている。一方の固定フランジ６ｂは、固定軸２０に取付けられており、他方の固定フランジ６ａは、内側に取付けられた複数のローラ２１が回転フランジ１６の内側に取付けられた鍔１６ａの外周に嵌合するようになっており、そして、自重を受けると共に、複数のローラ１０のシャフトにより固定フランジ６ｂと連結されているので、回転しないように構成されている。【選択図】図１
2004338875.tif 000002
【特許請求の範囲】
【請求項１】
移動可能な台車上に、支持部材を介して正転または逆転駆動可能な巻取り軸を水平に設置すると共に、該巻取り軸の両端側に一対の固定フランジを相対向して配設し、この固定フランジの相対向する内壁面に、巻取り軸側から外周方向に向かって所定の間隔で複数のガイド部材を螺旋状に配設した帯状ゴム材料の保管部を形成し、前記巻取り軸に剛性ライナーの一端を固定すると共に、他端側を固定フランジの螺旋状のガイド部材に沿って外周方向に巻き出し、台車上に設置したライナー巻取り，巻出し手段に連結したことを特徴とする帯状ゴム材料の巻取り台車。
【請求項２】
前記保管部のガイド部材は、回転自在なガイドローラを使用する請求項１に記載の帯状ゴム材料の巻取り台車。
【請求項３】
前記剛性ライナーは、保管部の螺旋状保管長さの略２倍の長さを有する請求項１または２に記載の帯状ゴム材料の巻取り台車。
【請求項４】
前記固定フランジの内壁面に螺旋状に配設するガイド部材の外周方向の間隔は、所定の断面形状を有する帯状ゴム材料の少なくとも厚さ以上に配設する請求項１，２または３に記載の帯状ゴム材料の巻取り台車。
【請求項５】
一側面に所定の断面形状を有し、かつ長尺状の未加硫帯状ゴム材料を剛性ライナーを介在させて巻取り台車の巻取り軸に巻取る際、前記巻取り軸に一端を固定した剛性ライナー上に帯状ゴム材料の平坦面側先端を載置し、巻取り軸を正転駆動させながら、剛性ライナーを巻き出して帯状ゴム材料を固定フランジの内壁面に配設したガイド部材に沿って螺旋状に巻取る帯状ゴム材料の巻取り方法。
【発明の詳細な説明】
【０００１】
【発明の属する技術分野】
この発明は、帯状ゴム材料の巻取り台車及び帯状ゴム材料の巻取り方法にかかわり、更に詳しくは所定の断面形状を有する帯状ゴム材料、例えば、未加硫のタイヤトレッド等の帯状ゴム材料を変形させることなく台車上に保管する帯状ゴム材料の巻取り台車及び帯状ゴム材料の巻取り方法に関するものである。
【０００２】
【従来の技術】
従来、押出し成形された長尺状で、かつ所定の断面形状（プロファイル形状）を有する未加硫の帯状ゴム材料を台車上の巻取り軸に螺旋状に巻取って保管する場合、帯状ゴム材料が互いに密着しないように、布や硬質のポリエチレン等のライナーと呼称されている帯状の密着中間防止材を介在させると共に、所定の形状に成形された帯状ゴム材料が潰されて形状が変形しないように巻取り軸の両側に設けたフランジ板の内側に棚状の仕切り板等を設けた工夫がされている。
【０００３】
【発明が解決しようとする課題】
然しながら、台車上に設置した巻取り軸やそのフランジ板等に、棚や仕切り板を形成するには、その製作に多くの手間と費用がかかり、また長尺状の帯状ゴム材料を布や硬質のポリエチレン等のライナーを介在させながら、かつ帯状ゴム材料の形状を変形させないように巻取って保管するのは非常に難しく、更に帯状ゴム材料が種々の断面形状を有する場合に、それに対応して巻取り、かつ保管するのは非常に難しいと言う問題があった。
【０００４】
この発明は、かかる従来の問題点に着目して案出されたもので、比較的簡単な構成で、長尺状の帯状ゴム材料の形状を変形させずに巻取って保管することが出来る帯状ゴム材料の巻取り台車及び帯状ゴム材料の巻取り方法を提供することにある。
【０００５】
【課題を解決するための手段】
この発明は、上記目的を達成するため、この発明の帯状ゴム材料の巻取り台車は、移動可能な台車上に、支持部材を介して正転または逆転駆動可能な巻取り軸を水平に設置すると共に、該巻取り軸の両端側に一対の固定フランジを相対向して配設し、この固定フランジの相対向する内壁面に、巻取り軸側から外周方向に向かって所定の間隔で複数のガイド部材を螺旋状に配設した帯状ゴム材料の保管部を形成し、前記巻取り軸に剛性ライナーの一端を固定すると共に、他端側を固定フランジの螺旋状のガイド部材に沿って外周方向に巻き出し、台車上に設置したライナー巻取り，巻出し手段に連結したことを要旨とするものである。
【０００６】
前記保管部のガイド部材は、回転自在なガイドローラを使用し、また前記剛性ライナーは、保管部の螺旋状保管長さの略２倍の長さを有するものを使用する。
【０００７】
更に、固定フランジの内壁面に螺旋状に配設するガイド部材の外周方向の間隔は、所定の断面形状を有する帯状ゴム材料の少なくとも厚さ以上に配設するものである。
【０００８】
このように巻取り台車を形成することで、比較的簡単な構成で、長尺状の帯状ゴム材料を形状を変形させずに、効率良く巻取って保管することが出来る。
【０００９】
また、この発明の帯状ゴム材料の巻取り方法は、一側面に所定の断面形状を有し、かつ長尺状の未加硫帯状ゴム材料を剛性ライナーを介在させて巻取り台車の巻取り軸に巻取る際、前記巻取り軸に一端を固定した剛性ライナー上に帯状ゴム材料の平坦面側先端を載置し、巻取り軸を正転駆動させながら、剛性ライナーを巻き出して帯状ゴム材料を固定フランジの内壁面に配設したガイド部材に沿って螺旋状に巻取ることを要旨とするものである。
【００１０】
このように、長尺状の帯状ゴム材料を巻取って保管するので、未加硫の帯状ゴム材料は、互いに密着することなく、しかも形状を変形させることなく保管することが出来、品質を向上させることが出来ると共に、品質の歩留りを向上こせることが出来る。
【００１１】
【発明の実施の形態】
以下、添付図面に基づきこの発明の実施の形態を説明する。
図１は、この発明を実施した未加硫のタイヤトレッド等の帯状ゴム材料Ｗを巻取る巻取り台車の正面図、図２は図１のＡ−Ａ矢視側面図、図３は図１のＢ−Ｂ矢視平面図を示し、前記巻取り台車１は、回転自在なキャスター等の複数の車輪２を備えた支持台３上に、支持部材４を介して正転（帯状ゴム材料Ｗの巻取り回転方向）駆動または逆転（帯状ゴム材料Ｗの巻出し回転方向）駆動可能な巻取り軸５が水平に設置されている。
【００１２】
巻取り軸５は、固定軸２０に対して軸受け６により回転自在に取付けられ、この発明の実施形態では、駆動ロール１８，１８’により巻取り軸５を回転させるものである。巻取り軸５には、外径約１ｍの巻取りドラム１９が取付けられており、この巻取りドラム１９には、剛性ライナーの端部が固定されている。
【００１３】
一対の固定フランジ６ａ，６ｂのうち、固定フランジ６ｂは、固定軸２０に取付けられており、固定フランジ６ａは、内側に取付けられた複数のローラ２１が回転フランジ１６の内側に取付けられた鍔１６ａの外周に嵌合するようになっており、そして、自重を受けると共に、複数のローラ１０のシャフトにより固定フランジ６ｂと連結されているので、回転しないように構成されている。
【００１４】
前記固定フランジ６ａ，６ｂの相対向する内壁面には、巻取り軸５側から外周方向に向かって所定の間隔で複数の回転自在なガイドローラ等のガイド部材７を螺旋状に配設した複数本の支持部材８が放射方向に固定され、前記複数のガイド部材７により帯状ゴム材料Ｗの保管部９を形成している。
【００１５】
前記固定フランジ６ａ，６ｂの内壁面に螺旋状に配設するガイド部材７の外周方向の間隔は、所定の断面形状を有する帯状ゴム材料Ｗの少なくとも厚さ以上に配設し、また、固定フランジ６ａ，６ｂの外周縁部には、固定フランジ６ａ，６ｂを所定の間隔で保持するための複数本のスチールローラ１０が周方向に所定の間隔で固定されている。
【００１６】
また、巻取り軸５の側部の巻取り台車１上には、回転自在な巻取り，巻出しセル等で構成されたライナー巻取り，巻出し手段１１が設置され、巻取り軸５とライナー巻取り，巻出し手段１１との間には、複数のスチールローラ等で構成されたライナーガイド手段１２が設置されている。なお、図１において、１３は巻取り軸５のブレーキ手段であり、固定フランジ１６の外周面にスプリング１４を介してブレーキシュー１５が圧接している。
【００１７】
前記巻取り軸５には、スチール等を材料とした剛性ライナーＲの一端が固定され、この剛性ライナーＲの他端側は、固定フランジ６ａ，６ｂの螺旋状のガイド部材７に沿って外周方向に巻き出して前記ライナー巻取り，巻出し手段１１に連結されている。この剛性ライナーＲは、保管部９の螺旋状保管長さの略２倍の長さを有している。
【００１８】
この剛性ライナーＲは、保管部９の螺旋状保管長さの略２倍の長さにする理由については、帯状ゴム材料Ｗの巻取る前の状態では、巻出し手段１１には部材の長さと同等以上の剛性ライナーＲが巻付けられており、保管部９には、ガイド部材７によりガイドされた剛性ライナーＲが螺旋状の保管スペースを構成しており、この部材の剛性ライナーＲの長さは部材の長さと同等以上が必要である。従って、剛性ライナーＲのトータル長さは、巻取り長さの略２倍以上となる。
【００１９】
また、帯状ゴム材料Ｗの巻取った後の状態では、巻取る前に螺旋状の保管スペースを構成していた剛性ライナーＲは、全て巻取りドラム１９に巻取られた状態となる。そして、巻取る前の状態において巻出し手段１１に巻付けられていた剛性ライナーＲは巻出され、帯状ゴム材料Ｗと共に保管部９を構成する。
【００２０】
次に、この巻取り台車１に帯状ゴム材料Ｗを巻取る方法について説明する。
【００２１】
一側面に所定の断面形状（例えば、図に示すような台形状の断面）を有し、かつ長尺状の未加硫の帯状ゴム材料Ｗをスチールライナー等の剛性ライナーＲを介在させて巻取り台車１の巻取り軸５に巻取る際、前記巻取り軸５に一端を固定した剛性ライナーＲ上に帯状ゴム材料Ｗの平坦面側先端を載置する。
【００２２】
そして、巻取り軸５を正転駆動させながら、剛性ライナーＲを巻き出して帯状ゴム材料Ｗを固定フランジ６ａ，６ｂの内壁面に配設したガイド部材７に沿って所定の間隔を隔てた状態で螺旋状に巻取って保管する。
【００２３】
このように、長尺状の帯状ゴム材料Ｗを剛性ライナーＲを介して螺旋状に巻取って保管するので、未加硫の帯状ゴム材料Ｗは、互いに密着することなく、しかも所定の間隔を隔てて保管するので、形状を変形させることなく保管することが出来、品質を向上させることが出来ると共に、品質の歩留りを向上させることが出来る。
【００２４】
【発明の効果】
この発明は、上記のように移動可能な台車上に、支持部材を介して正転または逆転駆動可能な巻取り軸を水平に設置すると共に、該巻取り軸の両端側に一対の固定フランジを相対向して配設し、この固定フランジの相対向する内壁面に、巻取り軸側から外周方向に向かって所定の間隔で複数のガイド部材を螺旋状に配設した帯状ゴム材料の保管部を形成し、前記巻取り軸に剛性ライナーの一端を固定すると共に、他端側を固定フランジの螺旋状のガイド部材に沿って外周方向に巻き出し、台車上に設置したライナー巻取り，巻出し手段に連結したので、比較的簡単な構成で、長尺状の帯状ゴム材料を形状を変形させずに、効率良く巻取って保管することが出来る効果がある。
【００２５】
また、この発明の帯状ゴム材料の巻取り方法は、一側面に所定の断面形状を有し、かつ長尺状の未加硫帯状ゴム材料を剛性ライナーを介在させて巻取り台車の巻取り軸に巻取る際、前記巻取り軸に一端を固定した剛性ライナー上に帯状ゴム材料の平坦面側先端を載置し、巻取り軸を正転駆動させながら、剛性ライナーを巻き出して帯状ゴム材料を固定フランジの内壁面に配設したガイド部材に沿って螺旋状に巻取るので、未加硫の帯状ゴム材料は、互いに密着することなく、しかも形状を変形させることなく保管することが出来、品質を向上させることが出来ると共に、品質の歩留りを向上こせることが出来る効果がある。
【図面の簡単な説明】
【図１】この発明を実施した未加硫のタイヤトレッド等の帯状ゴム材料を巻取る巻取り台車の正面図である。
【図２】図１のＡ−Ａ矢視側面図である。
【図３】図１のＢ−Ｂ矢視平面図である。
【符号の説明】
１  巻取り台車                  ２  車輪
３  支持台                      ４  支持部材
５  巻取り軸                    ６  軸受
６ａ，６ｂ  固定フランジ        ７  ガイド部材
８  支持部材                    ９  保管部
１０  スチールローラ            １１  ライナー巻取り，巻出し手段
１２  ライナーガイド手段          Ｗ  帯状ゴム材料
１３  ブレーキ手段              １４  スプリング
１５  ブレーキシュー              Ｒ  剛性ライナー
１６  回転フランジ            １６ａ  鍔
１８，１８’  駆動ロール        ２１  ローラ
１９  巻取りドラム              ２０  固定軸
【図１】
2004338875.tif 000003
【図２】
2004338875.tif 000004
【図３】
2004338875.tif 000005